(57)【要約】【課題】分配器における無駄な電力消費を抑えて省電力化を図る。【解決手段】分配器４が備える増幅器４１は、制御回路部４７ａ，４７ｂが共用線Ｌｄに流れる直流電流を検出して電源スイッチ４９をオンしたときにだけ第２の内部電源回路５２から電源供給されて動作し、全ての住戸機２で閉結スイッチ２９ｅがオフとなって共用線Ｌｄに直流電流が流れない期間（待機期間）には電源スイッチ４９がオフするために動作しない。故に、比較的に大きな電力を消費する増幅器４１が何れかの幹線Ｌ１1，Ｌ１2で音声信号および映像信号が伝送される期間（動作期間）にしか第２の内部電源回路５２から電源供給されないから、待機期間において無駄な電力を消費することがなく、分配器４における無駄な電力消費を抑えて省電力化が図れる。また通話に関係しない幹線Ｌ１1又はＬ１2を切り離すことで音声信号帯域の伝送路のインピーダンス低下が抑制できる。【選択図】        図１
2006094397.tif 000002
【特許請求の範囲】
【請求項１】
集合住宅の共用玄関に配置され音声の入出力が可能な共用部通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、住戸機は、共用部装置のカメラにより撮像された映像を表示するモニタと、共用部通話装置との間で音声通話が可能な住戸機通話装置とを備え、伝送線路は、共用部装置に接続された幹線と各住戸機に接続された住戸別線とを含むとともに幹線を複数系統に分配する分配器を有し、幹線および各住戸別線は、少なくとも選択装置の操作に伴って発生する制御信号を伝送する制御線と、音声を伝送する音声信号および音声信号よりも高周波であって映像を伝送する映像信号とを周波数多重化した信号を伝送する共用線とからなり、共用部装置は、共用線に直流電源を重畳する電源重畳部を備え、分配器は、共用線に重畳された直流電源から動作電源を作成する電源作成手段と、何れかの住戸機と共用部装置との間で通信路が確立されたことを検出したときにのみ電源作成手段を動作させる制御手段とを有することを特徴とする集合住宅用テレビ付きインターホンシステム。
【請求項２】
前記分配器は、映像信号に対して低インピーダンスであって音声信号に対して高インピーダンスである高周波通過部が挿入された映像経路と、音声信号に対して低インピーダンスであって映像信号に対して高インピーダンスである低周波通過部が挿入され各系統の幹線毎に設けられた複数の音声経路と、各音声経路に挿入された常閉の分配器スイッチと、共用線から電源作成手段への直流電源の供給経路に挿入された常開の電源スイッチとを備え、前記制御手段は、いずれかの幹線に対応する前記音声経路に流れる直流電流を検出すると当該幹線に対応しない分配器スイッチを開放するとともに電源スイッチを閉成し直流電流を検出しないときには電源スイッチを開放し、前記住戸機は、共用部装置による選択時に直流電源との間で音声経路に直流電流を流すループ回路を閉成するように制御され非選択時にはループ回路を開放する閉結スイッチを備えることを特徴とする請求項１記載の集合住宅用テレビ付きインターホンシステム。
【請求項３】
前記分配器は、映像信号に対して低インピーダンスであって音声信号に対して高インピーダンスである高周波通過部が挿入された映像経路と、音声信号に対して低インピーダンスであって映像信号に対して高インピーダンスである低周波通過部が挿入され各系統の幹線毎に設けられた複数の音声経路と、各音声経路に挿入された常閉の分配器スイッチと、共用線から電源作成手段への直流電源の供給経路に挿入された常開の電源スイッチとを備え、前記制御手段は、いずれかの幹線に対応する前記音声経路に直流の電圧変動を検出すると当該幹線に対応しない分配器スイッチを開放するとともに電源スイッチを閉成し直流の電圧変動を検出しないときには電源スイッチを開放し、前記住戸機は、共用部装置による選択時に直流電源との間で音声経路に直流の電圧変動を生じさせる手段を備えることを特徴とする請求項１記載の集合住宅用テレビ付きインターホンシステム。
【請求項４】
前記分配器は、映像信号に対して低インピーダンスであって音声信号に対して高インピーダンスである高周波通過部が挿入された映像経路と、音声信号に対して低インピーダンスであって映像信号に対して高インピーダンスである低周波通過部が挿入され各系統の幹線毎に設けられた複数の音声経路と、各音声経路に挿入された常閉の分配器スイッチと、共用線から電源作成手段への直流電源の供給経路に挿入された常開の電源スイッチとを備え、前記制御手段は、いずれかの幹線に対応する前記音声経路に流れる直流電流を検出し且つ当該音声経路に直流の電圧変動を検出すると当該幹線に対応しない分配器スイッチを開放するとともに電源スイッチを閉成し直流電流又は直流の電圧変動の少なくとも何れか一方を検出しないときには電源スイッチを開放し、前記住戸機は、共用部装置による選択時に直流電源との間で音声経路に直流電流を流すループ回路を閉成するように制御され非選択時にはループ回路を開放する閉結スイッチと、ループ回路を閉成する際に前記音声経路に直流の電圧変動を生じさせる手段とを備えることを特徴とする請求項１記載の集合住宅用テレビ付きインターホンシステム。
【発明の詳細な説明】
【技術分野】
【０００１】
本発明は、集合住宅の共用玄関に設置されカメラを備える共用部装置から各住戸にそれぞれ設置される住戸機を選択して呼び出すことにより、共用部装置と住戸機との間で通信路を確立し、通信路の確立された住戸機が共用部装置からの映像信号を受け取るとともに共用部装置との間で通話可能となる集合住宅用テレビ付きインターホンシステムに関するものである。
【背景技術】
【０００２】
従来から提供されている集合住宅用のテレビ付きインターホンシステムの構成例を図８に示す（特許文献１参照）。図示例では、集合住宅の共用玄関に設置される共用部装置（ロビーインターホン）１と、各住戸にそれぞれ配置される複数台の住戸機２とを備え、共用部装置１と住戸機２とが伝送線路を介して接続されている。伝送線路は、共用部装置１に接続される幹線Ｌ１と、各住戸機２にそれぞれ接続される住戸別線Ｌ２とを含み、幹線Ｌ１と各住戸別線Ｌ２との間にはそれぞれ分岐器３が介装される。さらに、図示例では幹線Ｌ１を複数系統（図では２系統）に分配するための分配器４が設けられている。
【０００３】
共用部装置１は、音声の入出力が可能な共用部通話装置１１と、来訪者を撮像するＴＶカメラであるカメラ１２と、来訪者により操作される選択装置１３とを備える。また、住戸機２は、音声の入出力が可能な住戸機通話装置２１と、カメラ１２により撮像された映像を表示するモニタ２２とを備える。選択装置１３は住戸番号を指定する番号キーと呼出釦とを備え、共用部装置１において選択装置１３の操作により住戸番号を選択して呼出釦を押下すると住戸番号に対応する住戸機２を選択したことになり、選択した住戸機２と共用部装置１との間で通信路が確立する。共用部装置１との通信路が確立した住戸機２では、住戸機通話装置２１を用いて共用部通話装置１１との間での通話が可能になるとともに、カメラ１２で撮像された映像をモニタ２２に表示することが可能になる。
【０００４】
伝送線路としては２対以上のペア線をシース内に備える多対ツイストペアケーブルを用いており、図示例では共用部通話装置１１と住戸機通話装置２１との間で音声信号を伝送するとともにカメラ１２により撮像した映像情報を含む映像信号をモニタに伝送する共用線Ｌｄと、選択装置１３により選択された住戸機２を指定する制御信号を伝送する制御線Ｌｃとにそれぞれペア線を用いている。つまり、図示例の伝送線路では２対のペア線を用いている。ここで、音声信号と映像信号と制御信号とは伝送中の信号形態が変化することがあるが、以下の説明では物理的な信号形態の変化によらず、情報内容が同じである信号を同名で呼ぶことにする。たとえば、後述するようにカメラ１２から出力された信号はＦＭ変調されるから、変調の前後では物理的な信号形態は変化するが、情報内容としてはカメラ１２で撮像した映像情報に着目しており、着目する情報内容には変化がないから、以下の説明では変調の前後の信号をいずれも映像信号と呼ぶ。音声信号および制御信号についても同様である。
【０００５】
共用部装置１において、共用部通話装置１１はマイクロホン１１ａおよびスピーカ１１ｂからなり、マイクロホン１１ａとスピーカ１１ｂとはそれぞれ増幅器１４ａ，１４ｂを介して音声回路１４ｃに接続されている。音声回路１４ｃは、２個の増幅器１４ａ，１４ｂと２線の共用線Ｌｄとの間に挿入するために２線４線変換回路を含んでおり、マイクロホン１１ａからの音声信号を共用線Ｌｄに送出し、共用線Ｌｄからの音声信号をスピーカ１１ｂ側に出力する機能を有する。また、カメラ１２から出力される映像信号は、ＦＭ変調回路１５ａにおいてＦＭ変調された後に、増幅器１５ｂおよび不平衡−平衡変換のための結合トランス１５ｃを介して共用線Ｌｄに送出される。共用部装置１には内部回路を制御するＣＰＵ１０が設けられ、ＣＰＵ１０には選択装置１３が接続されるとともに、制御線Ｌｃとの間のインタフェースとなる制御信号送受信回路１６が接続される。つまり、制御信号送受信回路１６は、ＣＰＵ１０から出力された制御信号を制御線Ｌｃに送出し、制御線Ｌｃから受信した制御信号をＣＰＵ１０に引き渡す機能を有する。共用部装置１の内部電源は、電源部１７によって商用電源（交流１００Ｖ）から生成される。
【０００６】
一方、住戸機２において、住戸機通話装置２１はマイクロホン２１ａおよびスピーカ２１ｂからなり、マイクロホン２１ａとスピーカ２１ｂとはそれぞれ増幅器２４ａ，２４ｂを介して音声回路２４ｃに接続されている。音声回路２４ｃは、２個の増幅器２４ａ，２４ｂと２線の共用線Ｌｄとの間に挿入するために２線４線変換回路を含んでおり、マイクロホン２１ａからの音声信号を共用線Ｌｄに送出し、共用線Ｌｄからの音声信号をスピーカ２１ｂ側に出力する機能を備えている。したがって、共用部装置１と住戸機２との間で共用線Ｌｄを通して音声信号を授受することができ、来訪者が共用部装置１を用いるとともに居住者が住戸機２を用いることによって、来訪者と居住者との間で音声通話が可能になる。
【０００７】
住戸機２に設けた音声回路２４ｃには、子器インタフェース２３および子器接続線Ｌ３を介してドアホン子器５が接続される。ドアホン子器５は集合住宅の各住戸の玄関先に配置されるものであってマイクロホンおよびスピーカを備え、子器インタフェース２３はドアホン子器５との通話のための音声双方向増幅回路や音声回路２４ｃを接続するための開閉路回路などを備える。したがって、ドアホン子器５と住戸機通話装置２１との間での通話が可能になっている。また、ドアホン子器５には呼出釦が設けられ、子器インタフェース２３ではドアホン子器５での呼出釦の操作時に呼出音を音声回路２４ｃに入力して、スピーカ２１ｂから送出させる機能も備える。ドアホン子器５の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００８】
住戸機２において、モニタ２２には液晶表示器あるいはＣＲＴが用いられる。共用線Ｌｄを通して住戸機２に入力される映像信号は、平衡−不平衡変換のための結合トランス２５ｃを介して増幅器２５ｂに入力され、増幅器２５ｂで増幅された後にＦＭ復調回路２５ａにおいてＦＭ復調される。ＦＭ復調回路２５ａから出力された映像信号は、モニタ２２に入力されることによってモニタ２２の画面に映像を表示する。つまり、共用部装置１のカメラ１２において撮像された来訪者の映像が住戸機２のモニタ２２に表示されるから、住戸内の居住者が来訪者を確認することができるのである。
【０００９】
ここで、上述のように音声信号と映像信号との両方で共用線Ｌｄを用いるために、共用部装置１および住戸機２にはそれぞれ多重分離回路１９，２９を設けている。共用部装置１と住戸機２とにそれぞれ用いている多重分離回路１９，２９は同構成であって、音声回路２４ｃと共用線Ｌｄとの間に挿入される低周波通過部１９ａ，２９ａと、結合トランス１５ｃ，２５ｃと共用線Ｌｄとの間に挿入される高周波通過部１９ｂ，２９ｂとからなる。低周波通過部１９ａ，２９ａは音声信号に対して低インピーダンスであって映像信号に対して高インピーダンスのものを用い、高周波通過部１９ｂ、２９ｂは音声信号に対して高インピーダンスであって映像信号に対して低インピーダンスのものを用いる。図示例では、低周波通過部１９ａ，２９ａとしてインダクタを用い、高周波通過部１９ｂ，２９ｂとしてコンデンサを用いている。
【００１０】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源部２７によって商用電源（交流１００Ｖ）から生成される。
【００１１】
上述のようにして共用部装置１の選択装置１３により選択された住戸機２が共用部装置１との間で通信路を確立している状態は、共用部装置１または住戸機２において通話終了が検出されると終了する。つまり、共用部装置１の共用部通話装置１１または住戸機２の住戸機通話装置２１にハンドセットを用いる場合にはハンドセットをオンフックすることによって通話終了を検知でき、ハンズフリーで通話する場合には適宜の操作釦を用いて通話終了を指示できる。
【００１２】
ところで、共用線Ｌｄおよび制御線Ｌｃは、分岐器３においては幹線Ｌ１と住戸別線Ｌ２とが直結され、分配器４においては各系統の幹線Ｌ１を直結している。したがって、共用部装置１から送出された制御信号は制御線Ｌｃに接続されるすべての住戸機２に伝送される。ここに、住戸機２のＣＰＵ２０には個別にアドレス（たとえば、住戸番号）が設定されており、共用部装置１に設けた選択装置１３によってアドレスを選択することによって、アドレスを指定する制御信号をすべての住戸機２に伝送することが可能になっている。住戸機２のＣＰＵ２０は、制御信号に含まれるアドレスが自己のアドレスであれば内部回路を作動させるように構成されており、したがって、共用部装置１と選択された住戸機２との間でのみ通話可能にすることが可能になるとともに、選択された住戸機２でのみカメラ１２で撮像された来訪者をモニタ２２に表示することが可能になる。
【００１３】
ここで、共用部装置１には電源部１７から出力された直流電源を共用線Ｌｄに重畳するための電源重畳部１８を設けてある。また、住戸機２には、多重分離回路２９の低周波通過部２９ａと共用線Ｌｄとの間に閉結スイッチ２９ｅを挿入し、さらに閉結スイッチ２９ｅに抵抗Ｒ１を直列接続するとともに、閉結スイッチ２９ｅと抵抗Ｒ１との直列回路を共用線Ｌｄを構成する１対のペア線の線間に接続してある。低周波通過部２９ａと音声回路２４ｃとの間には直流カット用のコンデンサＣ１が接続される。また、分配器４は、映像信号を増幅する増幅器４１を備え、増幅器４１には入力側と各系統に分配する出力側とにそれぞれ映像信号に対して低インピーダンスかつ音声信号に対して高インピーダンスとなる高周波通過部４２，４３ａ，４３ｂが接続される。分配器４には、増幅器４１および高周波通過部４２，４３ａ，４３ｂを通る映像経路とは別に、高周波通過部４２，４３ａ，４３ｂを通らずに増幅器４１の入力側と出力側とを結合する２個の音声経路も設けられる。さらに、各音声経路にはそれぞれ音声信号に対して低インピーダンスであって映像信号に対して高インピーダンスとなる低周波通過部４４ａ，４４ｂが挿入される。図示例において、高周波通過部４２，４３ａ，４３ｂにはコンデンサを用い、低周波通過部４４ａ，４４ｂにはインダクタを用いている。増幅器４１の入力側と出力側とにおいて、増幅器４１と各高周波通過部４２，４３ａ，４３ｂとの間にそれぞれ分配器スイッチ４５ａ，４５ｂ，４６ａ，４６ｂを挿入してあり、さらに各音声経路にそれぞれ電流検出手段としてのリレーコイル４７ａ，４７ｂを挿入してある。分配器スイッチ４５ａ，４６ａは、リレーコイル４７ａに対応するリレー接点であって、リレーコイル４７ａに直流電流が流れるとオンになる。また、分配器スイッチ４５ｂ，４６ｂは、リレーコイル４７ｂに対応するリレー接点であって、リレーコイル４７ｂに直流電流が流れるとオンになる。増幅器４１の入力側に設けたスイッチ４６ａ、４６ｂは並列接続され、いずれか一方がオンになると高周波通過部４２を増幅器４１に接続する。また、増幅器４１の出力側に設けた分配器スイッチ４５ａ、４５ｂは各系統の高周波通過部４３ａ，４３ｂと増幅器４１との間に接続され、いずれか一方が択一的にオンになる。
【００１４】
このような構成の分配器４を用いると、共用部装置１の選択装置１３によって特定の住戸機２が選択されたときに、当該住戸機２ではＣＰＵ２０が閉結スイッチ２９ｅをオンにするのであって、住戸機２において閉結スイッチ２９ｅがオンになると、電源部１７と抵抗Ｒ１とが直流的に接続され電源重畳部１８との間に直流電流を通過させるループ回路が形成されるから、当該住戸機２に接続された系統の幹線Ｌ１においてリレーコイル４７ａ，４７ｂに直流電流が通過することになる。その結果、直流電流が通過するリレーコイル４７ａ，４７ｂに対応する系統において分配器スイッチ４５ａ，４５ｂ，４６ａ，４６ｂがオンになり、リレーコイル４７ａ，４７ｂに直流電流が流れていない系統の分配器スイッチ４５ａ，４５ｂ，４６ａ，４６ｂはオフに保たれる。その結果、共用部装置１が選択した住戸機２を含む系統の幹線Ｌ１のみで音声信号および映像信号が伝送されるのであって、他方の幹線Ｌ１が接続されることによる伝送線路のインピーダンスの低下を抑制することができ、音声信号の減衰を少なくすることができる。
【特許文献１】特開２００４−１８６８３４号公報
【発明の開示】
【発明が解決しようとする課題】
【００１５】
ところで、この種のインターホンシステムでは、通常、共用部装置１と何れかの住戸機２との間で音声信号および映像信号が伝送されている動作期間よりも、音声信号および映像信号が全く伝送されていない待機期間の方が十分に長いと考えられる。しかるに上記従来例においては、待機期間であっても分配器４の増幅器４１が動作しているために無駄な電力を消費してしまうという問題があった。
【００１６】
本発明は上記事情に鑑みて為されたものであり、その目的は、分配器における無駄な電力消費を抑えて省電力化が図れる集合住宅用テレビ付きインターホンシステムを提供することにある。
【課題を解決するための手段】
【００１７】
請求項１の発明は、上記目的を達成するために、集合住宅の共用玄関に配置され音声の入出力が可能な共用部通話装置および来訪者を撮像するカメラを備える共用部装置と、集合住宅の各住戸にそれぞれ配置され共用部装置とは伝送線路を介して接続されるとともに共用部装置に付設した選択装置を来訪者が操作することにより選択されると共用部装置との間で通信路を確立する複数台の住戸機とを備え、住戸機は、共用部装置のカメラにより撮像された映像を表示するモニタと、共用部通話装置との間で音声通話が可能な住戸機通話装置とを備え、伝送線路は、共用部装置に接続された幹線と各住戸機に接続された住戸別線とを含むとともに幹線を複数系統に分配する分配器を有し、幹線および各住戸別線は、少なくとも選択装置の操作に伴って発生する制御信号を伝送する制御線と、音声を伝送する音声信号および音声信号よりも高周波であって映像を伝送する映像信号とを周波数多重化した信号を伝送する共用線とからなり、共用部装置は、共用線に直流電源を重畳する電源重畳部を備え、分配器は、共用線に重畳された直流電源から動作電源を作成する電源作成手段と、何れかの住戸機と共用部装置との間で通信路が確立されたことを検出したときにのみ電源作成手段を動作させる制御手段とを有することを特徴とする。
【００１８】
請求項２の発明は、請求項１の発明において、前記分配器は、映像信号に対して低インピーダンスであって音声信号に対して高インピーダンスである高周波通過部が挿入された映像経路と、音声信号に対して低インピーダンスであって映像信号に対して高インピーダンスである低周波通過部が挿入され各系統の幹線毎に設けられた複数の音声経路と、各音声経路に挿入された常閉の分配器スイッチと、共用線から電源作成手段への直流電源の供給経路に挿入された常開の電源スイッチとを備え、前記制御手段は、いずれかの幹線に対応する前記音声経路に流れる直流電流を検出すると当該幹線に対応しない分配器スイッチを開放するとともに電源スイッチを閉成し直流電流を検出しないときには電源スイッチを開放し、前記住戸機は、共用部装置による選択時に直流電源との間で音声経路に直流電流を流すループ回路を閉成するように制御され非選択時にはループ回路を開放する閉結スイッチを備えることを特徴とする。
【００１９】
請求項３の発明は、請求項１の発明において、前記分配器は、映像信号に対して低インピーダンスであって音声信号に対して高インピーダンスである高周波通過部が挿入された映像経路と、音声信号に対して低インピーダンスであって映像信号に対して高インピーダンスである低周波通過部が挿入され各系統の幹線毎に設けられた複数の音声経路と、各音声経路に挿入された常閉の分配器スイッチと、共用線から電源作成手段への直流電源の供給経路に挿入された常開の電源スイッチとを備え、前記制御手段は、いずれかの幹線に対応する前記音声経路に直流の電圧変動を検出すると当該幹線に対応しない分配器スイッチを開放するとともに電源スイッチを閉成し直流の電圧変動を検出しないときには電源スイッチを開放し、前記住戸機は、共用部装置による選択時に直流電源との間で音声経路に直流の電圧変動を生じさせる手段を備えることを特徴とする。
【００２０】
請求項４の発明は、請求項１の発明において、前記分配器は、映像信号に対して低インピーダンスであって音声信号に対して高インピーダンスである高周波通過部が挿入された映像経路と、音声信号に対して低インピーダンスであって映像信号に対して高インピーダンスである低周波通過部が挿入され各系統の幹線毎に設けられた複数の音声経路と、各音声経路に挿入された常閉の分配器スイッチと、共用線から電源作成手段への直流電源の供給経路に挿入された常開の電源スイッチとを備え、前記制御手段は、いずれかの幹線に対応する前記音声経路に流れる直流電流を検出し且つ当該音声経路に直流の電圧変動を検出すると当該幹線に対応しない分配器スイッチを開放するとともに電源スイッチを閉成し直流電流又は直流の電圧変動の少なくとも何れか一方を検出しないときには電源スイッチを開放し、前記住戸機は、共用部装置による選択時に直流電源との間で音声経路に直流電流を流すループ回路を閉成するように制御され非選択時にはループ回路を開放する閉結スイッチと、ループ回路を閉成する際に前記音声経路に直流の電圧変動を生じさせる手段とを備えることを特徴とする。
【発明の効果】
【００２１】
請求項１の発明によれば、分配器では、共用線に重畳された直流電源から動作電源を作成する電源作成手段が、何れかの住戸機と共用部装置との間で通信路が確立されたときにのみ動作し、通信路が確立されていないときには動作しないように制御手段によって制御されるため、分配器における無駄な電力消費を抑えて省電力化が図れるという効果がある。
【００２２】
請求項２の発明によれば、請求項１の発明の効果に加えて、共用部装置が選択した住戸機を含む系統の幹線のみで音声信号が伝送されるから、他の系統の幹線に音声信号が伝送されることによる伝送線路のインピーダンスの低下を抑制することができ、音声信号の減衰を少なくすることができるという効果がある。
【００２３】
請求項３の発明によれば、請求項１の発明の効果に加えて、共用部装置が選択した住戸機を含む系統の幹線のみで音声信号が伝送されるから、他の系統の幹線に音声信号が伝送されることによる伝送線路のインピーダンスの低下を抑制することができ、音声信号の減衰を少なくすることができるという効果がある。さらに、請求項２の発明のようにループ回路に直流電流を流す場合に比較して動作時の電力消費が低減できるという効果がある。
【００２４】
請求項４の発明によれば、請求項１の発明の効果に加えて、共用部装置が選択した住戸機を含む系統の幹線のみで音声信号が伝送されるから、他の系統の幹線に音声信号が伝送されることによる伝送線路のインピーダンスの低下を抑制することができ、音声信号の減衰を少なくすることができるという効果がある。しかも、いずれかの幹線に対応する前記音声経路に流れる直流電流を検出し且つ当該音声経路に直流の電圧変動を検出したときにのみ当該幹線に対応する分配器スイッチ並びに電源スイッチを閉成するため、誤動作を防いで確実に分配器の動作状態を切り換えることができるという効果がある。
【発明を実施するための最良の形態】
【００２５】
（実施形態１）
本実施形態は、図１に示すように分配器４の構成に特徴があり、その他の構成については図８に示した従来構成と共通である。従って、従来構成と共通の構成については同一の符号を付して説明を省略する。
【００２６】
本実施形態における分配器４は、映像信号を増幅する増幅器４１を備え、増幅器４１には入力側と各系統に分配する出力側とにそれぞれ映像信号に対して低インピーダンスかつ音声信号に対して高インピーダンスとなる高周波通過部４２，４３ａ，４３ｂが接続される。分配器４には、増幅器４１および高周波通過部４２，４３ａ，４３ｂを通る映像経路とは別に、高周波通過部４２，４３ａ，４３ｂを通らずに増幅器４１の入力側と出力側とを結合する２個の音声経路も設けられる。さらに、各音声経路にはそれぞれ音声信号に対して低インピーダンスであって映像信号に対して高インピーダンスとなる低周波通過部４４ａ，４４ｂが挿入される。尚、本実施形態では、高周波通過部４２，４３ａ，４３ｂにはコンデンサを用い、低周波通過部４４ａ，４４ｂにはインダクタを用いている。各音声経路には、それぞれ分配器スイッチ４８ａ，４８ｂと、音声経路に流れる直流電流を検出して分配器スイッチ４８ａ，４８ｂを開閉する制御回路部４７ａ，４７ｂとが挿入してある。また分配器４には、共用線Ｌｄに重畳された直流電圧を分離して定電圧化する受電回路５０と、受電回路５０で定電圧化された直流電圧から制御回路部４７ａ，４７ｂの動作電源を作成する第１の内部電源回路５１と、同じく前記直流電圧から増幅器４１の動作電源を作成する第２の内部電源回路５２と、受電回路５０から第２の内部電源回路５２への給電路に挿入されて制御回路部４７ａ，４７ｂによって開閉される電源スイッチ４９とが設けられている。
【００２７】
制御回路部４７ａ，４７ｂは共通の構成を有し、図２に示すように共用線Ｌｄに直列に挿入された検出抵抗Ｒｘと、共用線Ｌｄに流れる直流電流によって検出抵抗Ｒｘに生じる電圧降下（検出電圧）を増幅するアンプＡＰと、アンプＡＰで増幅された検出電圧を基準値と比較し、検出電圧が基準値を超えるときに出力がＨレベルとなり検出電圧が基準値以下のときに出力がＬレベルとなるコンパレータＣＰと、ＮＰＮ型のバイポーラトランジスタからなりコンパレータＣＰの出力がＨレベルのときにオン、Ｌレベルのときにオフとなるスイッチング素子Ｑと、第１の内部電源回路５１とスイッチング素子Ｑとの間に挿入され、スイッチング素子Ｑがオンして励磁電流が流れると常閉のリレー接点からなる分配器スイッチ４８ａ又は４８ｂを開成する分配器側リレーＲｙ１と、スイッチング素子Ｑがオンして励磁電流が流れると常開のリレー接点からなる電源スイッチ４９を閉成する電源側リレーＲｙ２とを具備する。分配器スイッチ４８ａは、制御回路部４７ａが具備する分配器側リレーＲｙ１に対応する常閉のリレー接点であって、一方の系統の幹線Ｌ１1に直流電流が流れるとオフになる。また、分配器スイッチ４８ｂは、制御回路部４７ｂが具備する分配器側リレーＲｙ２に対応する常閉のリレー接点であって、他方の系統の幹線Ｌ１2に直流電流が流れるとオフになる。電源スイッチ４９は、２つの制御回路部４７ａ，４７ｂが共通に具備する電源側リレーＲｙ２に対応する常開のリレー接点であって、何れかの系統の幹線Ｌ１1，Ｌ１2に直流電流が流れるとオンになる。すなわち、分配器４が備える増幅器４１は、制御回路部４７ａ，４７ｂが共用線Ｌｄに流れる直流電流を検出して電源スイッチ４９をオンしたときにだけ第２の内部電源回路５２から電源供給されて動作し、全ての住戸機２で閉結スイッチ２９ｅがオフとなって共用線Ｌｄに直流電流が流れない期間（待機期間）には電源スイッチ４９がオフするために動作しないことになる。尚、分配器スイッチ４８ａ，４８ｂに対応する２つの分配器側リレーＲｙ１と電源側リレーＲｙ２とは何れもシングルスティブル型であって、励磁電流が流れているときにリレー接点を開閉し、励磁電流が流れていないときはリレー接点を開閉しない。
【００２８】
このような構成の分配器４を用いると、共用部装置１の選択装置１３によって特定の住戸機２が選択されたときに、当該住戸機２ではＣＰＵ２０が閉結スイッチ２９ｅをオンにするのであって、例えば、一方の幹線Ｌ１1に接続された住戸機２において閉結スイッチ２９ｅがオンになると、電源部１７と定電流素子Ｄ１とが直流的に接続され電源重畳部１８との間に直流電流を通過させるループ回路が形成されるから、当該住戸機２に接続された系統の幹線Ｌ１1において制御回路部４７ａの検出抵抗Ｒｘに直流電流が通過することになる。その結果、直流電流が通過する制御回路部４７ａにおいてコンパレータＣＰの出力がＨレベルとなってスイッチング素子Ｑがオンとなり、分配器側リレーＲｙ１が励磁されて分配器スイッチ４８ａがオフになるとともに電源側リレーＲｙ２も励磁されて電源スイッチ４９がオンとなり、直流電流が流れない他方の幹線Ｌ１2に対応した制御回路部４７ｂにおいてはコンパレータＣＰの出力がＬレベルのままとなってスイッチング素子Ｑがオフに維持され、分配器側リレーＲｙ１が励磁されずに分配器スイッチ４８ｂがオンに保たれる。反対に、他方の幹線Ｌ１2に接続された住戸機２において閉結スイッチ２９ｅがオンになると、電源部１７と定電流素子Ｄ１とが直流的に接続され電源重畳部１８との間に直流電流を通過させるループ回路が形成されるから、当該住戸機２に接続された系統の幹線Ｌ１2において制御回路部４７ｂの検出抵抗Ｒｘに直流電流が通過することになる。その結果、直流電流が通過する制御回路部４７ｂにおいてコンパレータＣＰの出力がＨレベルとなってスイッチング素子Ｑがオンとなり、分配器側リレーＲｙ１が励磁されて分配器スイッチ４８ｂがオフになるとともに電源側リレーＲｙ２も励磁されて電源スイッチ４９がオンとなり、直流電流が流れない方の幹線Ｌ１1に対応した制御回路部４７ａにおいてはコンパレータＣＰの出力がＬレベルのままとなってスイッチング素子Ｑがオフに維持され、分配器側リレーＲｙ１が励磁されずに分配器スイッチ４８ａがオンに保たれる。その結果、共用部装置１が選択した住戸機２を含む系統の幹線Ｌ１1（又はＬ１2）のみで音声信号および映像信号が伝送されるのであって、他方の幹線Ｌ１2（又はＬ１1）が接続されることによる伝送線路のインピーダンスの低下を抑制することができ、音声信号の減衰を少なくすることができる。さらに、比較的に大きな電力を消費する増幅器４１が何れかの幹線Ｌ１1，Ｌ１2で音声信号および映像信号が伝送される期間（動作期間）にしか第２の内部電源回路５２から電源供給されないから、待機期間において無駄な電力を消費することがなく、分配器４における無駄な電力消費を抑えて省電力化が図れるものである。
【００２９】
（実施形態２）
本実施形態では、図３に示すように住戸機２の多重分離回路２９において、抵抗Ｒ１と第２の閉結スイッチ２９ｆの直列回路が共用線Ｌｄの線間に閉結スイッチ２９ｅと並列に挿入され、共用部装置１において、電源部１７と電源重畳部１８との間に抵抗Ｒ２が挿入され、さらに分配器４には、共用線Ｌｄ（音声経路）の線間に生じる電圧変動を検出して分配器スイッチ４８ａ，４８ｂおよび電源スイッチ４９を開閉する制御回路部４７ｃ，４７ｄが設けてある。第２の閉結スイッチ２９ｆは、ＣＰＵ２０により制御され、常時はオフであるが、共用部装置１の選択装置１３によって選択されたときに、閉結スイッチ２９ｅに先だって短時間だけオンされる。すなわち、図４に示すように第２の閉結スイッチ２９ｆのオン期間Ｔ１では、電源部１７と抵抗Ｒ１，Ｒ２とが直流的に接続され電源重畳部１８との間に直流電流を通過させるループ回路が形成されるから、当該住戸機２に接続された系統の幹線Ｌ１1又はＬ１2において共用線Ｌｄの線間電圧ＶLdが低下することになる。
【００３０】
分配器４における制御回路部４７ｃ，４７ｄは共通の構成を有し、図５に示すように共用線Ｌｄから低周波の線間電圧を取り出すフィルタ回路ＬＰＦと、フィルタ回路ＬＰＦで取り出された線間電圧を全波整流するダイオードブリッジＤＢと、ダイオードブリッジＤＢの直流出力を分圧する分圧抵抗Ｒ３，Ｒ４と、分圧抵抗Ｒ３，Ｒ４で分圧された線間電圧（検出電圧）を基準値と比較し、検出電圧が基準値を超えるときに出力がＬレベルとなり検出電圧が基準値以下のときに出力がＨレベルとなるコンパレータＣＰと、ＮＰＮ型のバイポーラトランジスタからなりコンパレータＣＰの出力がＨレベルのときにオン、Ｌレベルのときにオフとなるスイッチング素子Ｑと、２巻線ラッチング型であってスイッチング素子Ｑがオンする度毎にリレー接点からなる分配器スイッチ４８ａ又は４８ｂを開閉する分配器側リレーＲｙ３と、同じく２巻線ラッチング型であってスイッチング素子Ｑがオンする度毎にリレー接点からなる電源スイッチ４９を開閉する電源側リレーＲｙ４とを具備する。但し、制御回路部４７ｃ，４７ｄにおいて検出電圧が基準値を超えたことを保持できる構成とすれば、分配器側リレーＲｙ３と電源側リレーＲｙ４をシングルスティブル型とすることも可能である。
【００３１】
このような構成の分配器４を用いると、共用部装置１の選択装置１３によって特定の住戸機２が選択されたときに、当該住戸機２ではＣＰＵ２０が閉結スイッチ２９ｅをオンする前に第２の閉結スイッチ２９ｆを短時間だけオンするのであって、例えば、一方の幹線Ｌ１1に接続された住戸機２において第２の閉結スイッチ２９ｆがオンになると、電源部１７と抵抗Ｒ１，Ｒ２とが直流的に接続され電源重畳部１８との間に直流電流を通過させるループ回路が形成されるから、当該住戸機２に接続された系統の幹線Ｌ１1において共用線Ｌｄの線間電圧ＶLdが低下することになる（図４参照）。その結果、当該幹線Ｌ１1の共用線Ｌｄに挿入されている制御回路部４７ｃにおいて線間電圧ＶLdの低下によりコンパレータＣＰの出力がＨレベルとなってスイッチング素子Ｑがオンとなり、分配器側リレーＲｙ３のリセットコイルが励磁されて分配器スイッチ４８ａがオフになるとともに電源側リレーＲｙ４のセットコイルが励磁されて電源スイッチ４９がオンとなり、線間電圧ＶLdが変動しない他方の幹線Ｌ１2に対応した制御回路部４７ｄにおいてはコンパレータＣＰの出力がＨレベルのままとなってスイッチング素子Ｑがオフに維持され、分配器側リレーＲｙ３のセットコイルおよびリセットコイルが励磁されずに分配器スイッチ４８ｂがオンに保たれる。反対に、他方の幹線Ｌ１2に接続された住戸機２において第２の閉結スイッチ２９ｆが短時間だけオンになると、電源部１７と抵抗Ｒ１，Ｒ２とが直流的に接続され電源重畳部１８との間に直流電流を通過させるループ回路が形成されるから、当該住戸機２に接続された系統の幹線Ｌ１2において共用線Ｌｄの線間電圧ＶLdが低下することになる。その結果、当該幹線Ｌ１2の共用線Ｌｄに挿入されている制御回路部４７ｄにおいて線間電圧ＶLdの低下によりコンパレータＣＰの出力がＨレベルとなってスイッチング素子Ｑがオンとなり、分配器側リレーＲｙ３のリセットコイルが励磁されて分配器スイッチ４８ｂがオフになるとともに電源側リレーＲｙ４のセットコイルが励磁されて電源スイッチ４９がオンとなり、線間電圧ＶLdが変動しない幹線Ｌ１1に対応した制御回路部４７ｃにおいてはコンパレータＣＰの出力がＨレベルのままとなってスイッチング素子Ｑがオフに維持され、分配器側リレーＲｙ３のセットコイルおよびリセットコイルが励磁されずに分配器スイッチ４８ａがオンに保たれる。そして、選択された住戸機２では、ＣＰＵ２０が第２の閉結スイッチ２９ｆを短時間だけオンした後に閉結スイッチ２９ｅをオンし、このときには共用線Ｌｄの線間電圧ＶLdに変動が生じないために分配器スイッチ４８ａ，４８ｂと電源スイッチ４９の状態は変化しない。従って、実施形態１と同様に共用部装置１が選択した住戸機２を含む系統の幹線Ｌ１1（又はＬ１2）のみで音声信号および映像信号が伝送され、他方の幹線Ｌ１2（又はＬ１1）が接続されることによる伝送線路のインピーダンスの低下を抑制することができ、音声信号の減衰を少なくできるとともに、増幅器４１が動作期間にしか第２の内部電源回路５２から電源供給されないから、待機期間において無駄な電力を消費することがなく、分配器４における無駄な電力消費を抑えて省電力化が図れるものである。尚、選択���れた住戸機２と共用部装置１との間の通話が終了すると、住戸機２ではＣＰＵ２０が閉結スイッチ２９ｅをオフした後に第２の閉結スイッチ２９ｆを短時間だけオンして共用線Ｌｄの線間電圧ＶLdに変動を生じさせ、この電圧変動を検出した制御回路部４７ｃ又は４７ｄがオフしていた分配器スイッチ４８ａ又は４８ｂをオンするとともにオンしていた電源スイッチ４９をオフする。
【００３２】
而して、実施形態１の制御回路部４７ａ，４７ｂでは、直流電流を検出するために共用線Ｌｄに挿入する検出抵抗Ｒｘの抵抗値が数Ωとすると、電流検出のためにループ回路に流すべき直流の電流値が数１０ｍＡ以上は必要になるが、本実施形態の制御回路部４７ｃ，４７ｄでは、共用線Ｌｄの線間電圧ＶLdをコンパレータＣＰで検出するため、ループ回路に流すべき直流電流の電流値は分圧抵抗Ｒ３，Ｒ４での消費分くらいであるから、ほんの１ｍＡ程度で十分であり、実施形態１に比較して電力消費をさらに抑えることが可能である。さらに分配器スイッチ４８ａ，４８ｂおよび電源スイッチ４９をオン・オフする分配器側リレーＲｙ３および電源側リレーＲｙ４を２巻線ラッチング型としているから、励磁電流を常時流す必要がない点でシングルスティブル型の分配器側リレーＲｙ１および電源側リレーＲｙ２を用いている実施形態１よりも省電力化が図れるという利点がある。
【００３３】
（実施形態３）
本実施形態では、図６に示すように住戸機２の多重分離回路２９において、抵抗Ｒ１と第２の閉結スイッチ２９ｆの直列回路と、定電流素子Ｄ１と第３の閉結スイッチ２９ｇの直列回路とが共用線Ｌｄの線間に低周波通過部２９ａと並列に挿入され、共用部装置１において、電源部１７と電源重畳部１８との間に抵抗Ｒ２が挿入され、さらに分配器４には、共用線Ｌｄの線間に生じる電圧変動と共用線Ｌｄに流れる直流電流を検出して分配器スイッチ５４ａ，５４ｂおよび電源スイッチ５５を開閉する制御回路部５３ａ，５３ｂが設けてある。第２の閉結スイッチ２９ｆは、ＣＰＵ２０により制御され、常時はオフであるが、共用部装置１の選択装置１３によって選択されたときに、閉結スイッチ２９ｅがオンされた後に短時間だけオンされ、第３の閉結スイッチ２９ｇは、同じくＣＰＵ２０により制御され、第２の閉結スイッチ２９ｆが短時間だけオンされた後にオンされる。すなわち、実施形態２と同様に第２の閉結スイッチ２９ｆのオン期間Ｔ１では、電源部１７と抵抗Ｒ１，Ｒ２とが直流的に接続され電源重畳部１８との間に直流電流を通過させるループ回路が形成されるから、当該住戸機２に接続された系統の幹線Ｌ１1又はＬ１2において共用線Ｌｄの線間電圧ＶLdが低下することになる。また第３の閉結スイッチ２９ｇがオンすれば、実施形態１と同様に前記ループ回路が形成されて直流電流が流れる。
【００３４】
分配器４における制御回路部５３ａ，５３ｂは共通の構成を有し、図７に示すように検出抵抗Ｒｘ、アンプＡＰ、コンパレータＣＰ１、スイッチング素子Ｑ１、分配器側リレーＲｙ１、電源側リレーＲｙ２からなる実施形態１の制御回路部４７ａ，４７ｂと同じ構成と、フィルタ回路ＬＰＦ、ダイオードブリッジＤＢ、分圧抵抗Ｒ３，Ｒ４、コンパレータＣＰ２、スイッチング素子Ｑ２、分配器側リレーＲｙ３、電源側リレーＲｙ４からなる実施形態２の制御回路部４７ｃ，４７ｄと同じ構成とを具備する。
【００３５】
分配器スイッチ５４ａ，５４ｂは、図７に示すように共用線Ｌｄを構成する１対のペア線に各々挿入された一対のリレー接点ｒ１，ｒ２からなり、一方のリレー接点ｒ１はシングルスティブル型の分配器側リレーＲｙ１によって開閉され、他方のリレー接点ｒ２は２巻線ラッチング型の分配器側リレーＲｙ３によって開閉される。尚、図示は省略するが電源スイッチ５５も分配器スイッチ５４ａ，５４ｂと同様に受電回路５０から第２の内部電源回路５２への給電路に対して直列に挿入された一対のリレー接点からなり、一方のリレー接点がシングルスティブル型の電源側リレーＲｙ２によって開閉され、他方のリレー接点が２巻線ラッチング型の電源側リレーＲｙ４によって開閉される。
【００３６】
このような構成の分配器４を用いると、共用部装置１の選択装置１３によって特定の住戸機２が選択されたときに、当該住戸機２ではＣＰＵ２０が閉結スイッチ２９ｅをオンした後に第２の閉結スイッチ２９ｆを短時間だけオンし、さらにその後に第３の閉結スイッチ２９ｇをオンするのであって、例えば、一方の幹線Ｌ１1に接続された住戸機２において第２の閉結スイッチ２９ｆがオンになると、実施形態２で説明したように当該幹線Ｌ１1の共用線Ｌｄに挿入されている制御回路部５３ａにおいて線間電圧ＶLdの低下によりコンパレータＣＰ２の出力がＨレベルとなってスイッチング素子Ｑ２がオンとなり、分配器側リレーＲｙ３のリセットコイルが励磁されて分配器スイッチ５４ａの一方のリレー接点ｒ２がオフになるとともに電源側リレーＲｙ４のセットコイルが励磁されて電源スイッチ５５の一方のリレー接点がオンとなり、線間電圧ＶLdが変動しない他方の幹線Ｌ１2に対応した制御回路部５３ｂにおいてはコンパレータＣＰ２の出力がＨレベルのままとなってスイッチング素子Ｑ２がオフに維持され、分配器側リレーＲｙ３のセットコイルおよびリセットコイルが励磁されずに分配器スイッチ５４ｂのリレー接点ｒ１，ｒ２がオンに保たれる。そして、住戸機２において第３の閉結スイッチ２９ｇがオンになると、実施形態１で説明したように当該住戸機２に接続された系統の幹線Ｌ１1において制御回路部５３ａの検出抵抗Ｒｘに直流電流が通過し、コンパレータＣＰ１の出力がＨレベルとなってスイッチング素子Ｑ１がオンとなり、分配器側リレーＲｙ１が励磁されて分配器スイッチ５４ａの他方のリレー接点ｒ１がオフになるとともに電源側リレーＲｙ２も励磁されて電源スイッチ５５の他方のリレー接点がオンとなり、直流電流が流れない他方の幹線Ｌ１2に対応した制御回路部５３ｂにおいてはコンパレータＣＰ１の出力がＬレベルのままとなってスイッチング素子Ｑ１がオフに維持され、分配器側リレーＲｙ１が励磁されずに分配器スイッチ５４ｂのリレー接点ｒ１，ｒ２がオンに保たれる。
【００３７】
反対に、当該幹線Ｌ１2の共用線Ｌｄに挿入されている制御回路部５４ａにおいて線間電圧ＶLdの低下によりコンパレータＣＰ２の出力がＨレベルとなってスイッチング素子Ｑ２がオンとなり、分配器側リレーＲｙ３のリセットコイルが励磁されて分配器スイッチ５４ｂの一方のリレー接点ｒ２がオフになるとともに電源側リレーＲｙ４のセットコイルが励磁されて電源スイッチ５５の一方のリレー接点がオンとなり、線間電圧ＶLdが変動しない他方の幹線Ｌ１1に対応した制御回路部５３ａにおいてはコンパレータＣＰ２の出力がＨレベルのままとなってスイッチング素子Ｑ２がオフに維持され、分配器側リレーＲｙ３のセットコイルおよびリセットコイルが励磁されずに分配器スイッチ５４ａのリレー接点ｒ１，ｒ２がオンに保たれる。そして、住戸機２において第３の閉結スイッチ２９ｇがオンになると、当該住戸機２に接続された系統の幹線Ｌ１2において制御回路部５３ｂの検出抵抗Ｒｘに直流電流が通過し、コンパレータＣＰ１の出力がＨレベルとなってスイッチング素子Ｑ１がオンとなり、分配器側リレーＲｙ１が励磁されて分配器スイッチ５４ｂの他方のリレー接点ｒ１がオフになるとともに電源側リレーＲｙ２も励磁されて電源スイッチ５５の他方のリレー接点がオンとなり、直流電流が流れない他方の幹線Ｌ１1に対応した制御回路部５３ａにおいてはコンパレータＣＰ１の出力がＬレベルのままとなってスイッチング素子Ｑ１がオフに維持され、分配器側リレーＲｙ１が励磁されずに分配器スイッチ５４ａのリレー接点ｒ１，ｒ２がオンに保たれる。
【００３８】
而して本実施形態における制御回路部５３ａ，５３ｂは、共用線Ｌｄの線間電圧ＶLdに生じる電圧変動を検出した後に検出抵抗Ｒｘに直流電流が通過したことを検出した場合に選択された住戸機２が接続された系統の幹線Ｌ１1又はＬ１2に挿入された分配器スイッチ５４ａ又は５４ｂを開閉するとともに電源スイッチ５５をオンして増幅器４１を動作させるため、ノイズなどが原因で共用線Ｌｄ（音声経路）の線間電圧ＶLdが変動することがあっても直流電流が検出抵抗Ｒｘに流れなければ分配器スイッチ５４ａ，５４ｂや電源スイッチ５５をオンすることがなく、誤動作を防いで確実に分配器４の動作状態を切り換えることができる。
【図面の簡単な説明】
【００３９】
【図１】本発明の実施形態１を示すブロック図である。
【図２】同上における分配器の制御回路部を示す回路構成図である。
【図３】本発明の実施形態２を示すブロック図である。
【図４】同上の動作説明図である。
【図５】同上における分配器の制御回路部を示す回路構成図である。
【図６】本発明の実施形態３を示すブロック図である。
【図７】同上における分配器の制御回路部を示す回路構成図である。
【図８】従来例を示すブロック図である。
【符号の説明】
【００４０】
１  共用部装置
２  住戸機
３  分岐器
４  分配器
４１  増幅器
４５ａ，４５ｂ  制御回路部
４８ａ，４８ｂ  分配器スイッチ
４９  電源スイッチ
５０  受電回路
５１  第１の内部電源回路
５２  第２の内部電源回路
【図１】
2006094397.tif 000003
【図２】
2006094397.tif 000004
【図３】
2006094397.tif 000005
【図４】
2006094397.tif 000006
【図５】
2006094397.tif 000007
【図６】
2006094397.tif 000008
【図７】
2006094397.tif 000009
【図８】
2006094397.tif 000010